(57)【要約】      （修正有）【課題】本体を垂直方向に積層しての使用に好適な付箋紙供給装置を提供する。  【解決手段】付箋紙供給装置は、回転自在に支持された付箋紙１及び電池２を内蔵し、付箋紙１を外部に送り出す排出口３とを有した本体１０と、この本体１０内に設けられ、付箋紙１の粘着部１ａに当接し、付箋紙１を排出口３に送り出す回転ローラ４と、本体１０の上面に設けられた少なくとも２個の操作部７、７と、本体１０の上面にそれぞれ露出する第１の上面＋側端子Ｐ１、第２の上面＋側端子Ｐ４、第１の上面−側端子Ｍ１及び第２の上面−側端子Ｍ４と、本体１０の底面にそれぞれ露出する第１の底面＋側端子ｐ１、第２の底面＋側端子ｐ４、第１の底面−側端子ｍ１及び第２の底面−側端子ｍ４とを有する。【選択図】図２
0003145553.tif 000002
【実用新案登録請求の範囲】
【請求項１】
回転自在に支持された付箋紙及び電池を内蔵し、前記付箋紙を外部に送り出す排出口とを有した本体と、
この本体内に設けられ、前記付箋紙の粘着部に当接し、前記付箋紙を前記排出口に送り出す回転ローラと、
前記本体の上面に設けられた少なくとも２個の操作部と、    
前記本体の上面にそれぞれ露出する少なくとも第１の上面＋側端子、第２の上面＋側端子、第１の上面−側端子及び第２の上面−側端子と、
前記本体の底面にそれぞれ露出する少なくとも第１の底面＋側端子、第２の底面＋側端子、第１の底面−側端子及び第２の底面−側端子と、
前記第１の上面＋側端子、第１の底面＋側端子、前記電池の＋側端子を電気的に導通する第１の＋側導通部と、
前記第２の上面＋側端子、第２の底面＋側端子、前記電池の＋側端子を電気的に導通する第２の＋側導通部と、
前記第１の上面−側端子、前記第１の底面−側端子を電気的に導通する第１の−側導通部と、
前記第２の上面−側端子、前記第２の底面−側端子を電気的に導通する第２の−側導通部と、
前記モータ、前記電池の−側端子を電気的に導通する電池側導通部と、
前記モータの前記電池の−側端子と異なる側の部位に導通するモータ側導通部と、
このモータ側導通部が前記第１の−側導通部又は前記第２の−側導通部に択一的に導通する切り換えスイッチと、
前記２個の操作部は、第１の操作部と第２の操作部であり、
前記第１の操作部の操作により開閉し、前記第１の−側導通部と前記第１の＋側導通部とを導通、非導通する第１の開閉スイッチと、
前記第２の操作部の操作により開閉し、前記第２の−側導通部と前記第２の＋側導通部とを導通、非導通する第２の開閉スイッチとを備え、
前記本体を垂直方向に積層した時に、上に位置する前記本体の前記第１の底面＋側端子が、下に位置する前記本体の前記第１の上面＋側端子に、上に位置する本体の前記第２の底面＋側端子が、下に位置する前記本体の前記第２の上面＋側端子に、上に位置する前記本体の前記第１の底面−側端子が、下に位置する前記本体の前記第１の上面−側端子に、上に位置する前記本体の前記第２の底面−側端子が、下に位置する前記本体の前記第２の上面−側端子に、それぞれ導通する構成となっている
ことを特徴とする付箋紙供給装置。
【請求項２】
請求項１記載の付箋紙供給装置を少なくとも２個以上垂直方向に積層し、最上位の本体の少なくとも２個の操作部の内、操作された前記操作部の一により前記本体の排出口から付箋紙が送り出される付箋紙供給装置であって、
前記本体を垂直方向に積層した時に、上に位置する前記本体の前記第１の底面＋側端子が、下に位置する前記本体の前記第１の上面＋側端子に、上に位置する本体の前記第２の底面＋側端子が、下に位置する前記本体の前記第２の上面＋側端子に、上に位置する前記本体の前記第１の底面−側端子が、下に位置する前記本体の前記第１の上面−側端子に、上に位置する前記本体の前記第２の底面−側端子が、下に位置する前記本体の前記第２の上面−側端子に、それぞれ導通し、
積層段位が２番目に位置する前記本体の切り換えスイッチを積層段位が２番目に位置する前記本体の第２の−側導通部に導通するようにし、
積層段位が１番目に位置する前記本体の切り換えスイッチを積層段位が１番目に位置する前記本体の第１の−側導通部に導通するようにし、
最上位の前記本体の第１の操作部の操作により、最上位の前記本体の前記第１の−側導通部と前記第１の＋側導通部とを導通し、積層段位が１番目に位置する前記本体の排出口から付箋紙が、
最上位の前記本体の第２の操作部の操作により、最上位の前記本体の前記第２の−側導通部と前記第２の＋側導通部とを導通し、積層段位が２番目に位置する前記本体の排出口から付箋紙が、それぞれ排出され、
前記付箋紙は、前記本体毎に異なる
ことを特徴とする付箋紙供給装置。
【請求項３】
回転自在に支持された付箋紙及び電池を内蔵し、前記付箋紙を外部に送り出す排出口とを有した本体と、
この本体内に設けられ、前記付箋紙の粘着部に当接し、前記付箋紙を前記排出口に送り出す回転ローラと、
前記本体の上面に設けられた４個の操作部と、    
前記本体の上面にそれぞれ露出する第１の上面＋側端子、第２の上面＋側端子、第３の上面＋側端子、第４の上面＋側端子、第１の上面−側端子、第２の上面−側端子、第３の上面−側端子及び第４の上面−側端子と、
前記本体の底面にそれぞれ露出する第１の底面＋側端子、第２の底面＋側端子、第３の底面＋側端子、第４の底面＋側端子、第１の底面−側端子、第２の底面−側端子、第３の底面−側端子及び第４の底面−側端子と、
前記第１の上面＋側端子、第１の底面＋側端子、前記電池の＋側端子を電気的に導通する第１の＋側導通部と、
前記第２の上面＋側端子、第２の底面＋側端子、前記電池の＋側端子を電気的に導通する第２の＋側導通部と、
前記第３の上面＋側端子、第３の底面＋側端子、前記電池の＋側端子を電気的に導通する第３の＋側導通部と、
前記第４の上面＋側端子、第４の底面＋側端子、前記電池の＋側端子を電気的に導通する第４の＋側導通部と、
前記第１の上面−側端子、前記第１の底面−側端子を電気的に導通する第１の−側導通部と、
前記第２の上面−側端子、前記第２の底面−側端子を電気的に導通する第２の−側導通部と、
前記第３の上面−側端子、前記第３の底面−側端子を電気的に導通する第３の−側導通部と、
前記第４の上面−側端子、前記第４の底面−側端子を電気的に導通する第４の−側導通部と、
前記回転ローラを駆動するモータ、前記電池の−側端子を電気的に導通する電池側導通部と、
前記モータの前記電池の−側端子と異なる側の部位に導通するモータ側導通部と、
このモータ側導通部が前記第１の−側導通部、前記第２の−側導通部、前記第３の−側導通部、前記第４の−側導通部の内の何れか一つに導通する切り換えスイッチと、
前記４個の操作部は、第１の操作部、第２の操作部、第３の操作部、第４の操作部であり、
前記第１の操作部の操作により開閉し、前記第１の−側導通部と前記第１の＋側導通部とを導通、非導通する第１の開閉スイッチと、
前記第２の操作部の操作により開閉し、前記第２の−側導通部と前記第２の＋側導通部とを導通、非導通する第２の開閉スイッチと、
前記第３の操作部の操作により開閉し、前記第３の−側導通部と前記第３の＋側導通部とを導通、非導通する第３の開閉スイッチと、
前記第４の操作部の操作により開閉し、前記第４の−側導通部と前記第４の＋側導通部とを導通、非導通する第４の開閉スイッチとを備え、
前記本体を垂直方向に積層した時に、上に位置する前記本体の前記第１の底面＋側端子が、下に位置する前記本体の前記第１の上面＋側端子に、上に位置する本体の前記第２の底面＋側端子が、下に位置する前記本体の前記第２の上面＋側端子に、上に位置する前記本体の前記第３の底面＋側端子が、下に位置する前記本体の前記第３の上面＋側端子に、上に位置する本体の前記第４の底面＋側端子が、下に位置する前記本体の前記第４の上面＋側端子に、上に位置する前記本体の前記第１の底面−側端子が、下に位置する前記本体の前記第１の上面−側端子に、上に位置する前記本体の前記第２の底面−側端子が、下に位置する前記本体の前記第２の上面−側端子に、上に位置する前記本体の前記第３の底面−側端子が、下に位置する前記本体の前記第３の上面−側端子に、上に位置する前記本体の前記第４の底面−側端子が、下に位置する前記本体の前記第４の上面−側端子に、それぞれ導通する構成となっている
ことを特徴とする付箋紙供給装置。
【請求項４】
請求項３記載の付箋紙供給装置を４個垂直方向に積層し、最上位の本体の４個の操作部の内、操作された前記操作部の一により前記本体の排出口から付箋紙が送り出される付箋紙供給装置であって、
前記本体を垂直方向に積層した時に、上に位置する前記本体の前記第１の底面＋側端子が、下に位置する前記本体の前記第１の上面＋側端子に、上に位置する本体の前記第２の底面＋側端子が、下に位置する前記本体の前記第２の上面＋側端子に、上に位置する前記本体の前記第３の底面＋側端子が、下に位置する前記本体の前記第３の上面＋側端子に、上に位置する本体の前記第４の底面＋側端子が、下に位置する前記本体の前記第４の上面＋側端子に、上に位置する前記本体の前記第１の底面−側端子が、下に位置する前記本体の前記第１の上面−側端子に、上に位置する前記本体の前記第２の底面−側端子が、下に位置する前記本体の前記第２の上面−側端子に、上に位置する前記本体の前記第３の底面−側端子が、下に位置する前記本体の前記第３の上面−側端子に、上に位置する前記本体の前記第４の底面−側端子が、下に位置する前記本体の前記第４の上面−側端子に、それぞれ導通し、
積層段位が４番目に位置する前記本体の切り換えスイッチを積層段位が４番目に位置する前記本体の第４の−側導通部に導通するようにし、
積層段位が３番目に位置する前記本体の切り換えスイッチを積層段位が３番目に位置する前記本体の第３の−側導通部に導通するようにし、
積層段位が２番目に位置する前記本体の切り換えスイッチを積層段位が２番目に位置する前記本体の第２の−側導通部に導通するようにし、
積層段位が１番目に位置する前記本体の切り換えスイッチを積層段位が１番目に位置する前記本体の第１の−側導通部に導通するようにし、
最上位の前記本体の第１の操作部の操作により、最上位の前記本体の前記第１の−側導通部と前記第１の＋側導通部とを導通し、積層段位が１番目に位置する前記本体の排出口から付箋紙が、
最上位の前記本体の第２の操作部の操作により、最上位の前記本体の前記第２の−側導通部と前記第２の＋側導通部とを導通し、積層段位が２番目に位置する前記本体の排出口から付箋紙が、
最上位の前記本体の第３の操作部の操作により、最上位の前記本体の前記第３の−側導通部と前記第３の＋側導通部とを導通し、積層段位が３番目に位置する前記本体の排出口から付箋紙が、
最上位の前記本体の第４の操作部の操作により、最上位の前記本体の前記第４の−側導通部と前記第４の＋側導通部とを導通し、積層段位が４番目に位置する前記本体の排出口から付箋紙が、
それぞれ排出され、
前記付箋紙は、前記本体毎に異なる
ことを特徴とする付箋紙供給装置。
【請求項５】
第１の底面＋側端子、第２の底面＋側端子、第１の底面−側端子及び第２の底面−側端子のそれぞれの近傍に磁石が、取り付けられ、
第１の上面＋側端子、第２の上面＋側端子、第１の上面−側端子及び第２の上面−側端子が磁性体で形成され、
本体を垂直方向に積層した時に、上に位置する前記本体の前記第１の底面＋側端子の近傍に取り付けられた磁石が、下に位置する前記本体の前記第１の上面＋側端子を、上に位置する本体の前記第２の底面＋側端子の近傍に取り付けられた磁石が、下に位置する前記本体の前記第２の上面＋側端子を、上に位置する前記本体の前記第１の底面−側端子の近傍に取り付けられた磁石が、下に位置する前記本体の前記第１の上面−側端子を、上に位置する前記本体の前記第２の底面−側端子の近傍に取り付けられた磁石が、下に位置する前記本体の前記第２の上面−側端子を、それぞれ引き付けるように作用させる
ことを特徴とする請求項２記載の付箋紙供給装置。
【請求項６】
第１の底面＋側端子、第２の底面＋側端子、第３の底面＋側端子、第４の底面＋側端子、第１の底面−側端子、第２の底面−側端子、第３の底面−側端子及び第４の底面−側端子のそれぞれの近傍に磁石が、取り付けられ、
第１の上面＋側端子、第２の上面＋側端子、第３の上面＋側端子、第４の上面＋側端子、第１の上面−側端子、第２の上面−側端子、第３の上面−側端子及び第４の上面−側端子が磁性体で形成され、
本体を垂直方向に積層した時に、上に位置する前記本体の前記第１の底面＋側端子の近傍に取り付けられた磁石が、下に位置する前記本体の前記第１の上面＋側端子を、上に位置する本体の前記第２の底面＋側端子の近傍に取り付けられた磁石が、下に位置する前記本体の前記第２の上面＋側端子を、上に位置する前記本体の前記第３の底面＋側端子の近傍に取り付けられた磁石が、下に位置する前記本体の前記第３の上面＋側端子を、上に位置する本体の前記第４の底面＋側端子の近傍に取り付けられた磁石が、下に位置する前記本体の前記第４の上面＋側端子を、上に位置する前記本体の前記第１の底面−側端子の近傍に取り付けられた磁石が、下に位置する前記本体の前記第１の上面−側端子を、上に位置する前記本体の前記第２の底面−側端子の近傍に取り付けられた磁石が、下に位置する前記本体の前記第２の上面−側端子を、上に位置する前記本体の前記第３の底面−側端子の近傍に取り付けられた磁石が、下に位置する前記本体の前記第３の上面−側端子を、上に位置する前記本体の前記第４の底面−側端子の近傍に取り付けられた磁石が、下に位置する前記本体の前記第４の上面−側端子を、それぞれ引き付けるように作用させる
ことを特徴とする請求項４記載の付箋紙供給装置。
【考案の詳細な説明】
【技術分野】
【０００１】
本考案は、付箋紙供給装置に係り、特に、本体を垂直方向に積層しての使用に好適な付箋紙供給装置で、平面的な場所を取らず、しかも、本体１個であっても付箋紙を容易且つ迅速に排出することができる付箋紙供給装置に関する。
【背景技術】
【０００２】
従来、付箋紙を供給する装置がある（例えば、特許文献１参照）。この装置は、ケース内に付箋紙を回転自在に支持し、付箋紙を手で引き出し、ケースに設けたカッターで、付箋紙を所定長さに切断して使用するものであるが、電動によるものではないと共に、ケースを垂直方向に積層して使用するものでもない。
【特許文献１】実開平８−１１７号公報
【考案の開示】
【考案が解決しようとする課題】
【０００３】
本考案は、本体を垂直方向に積層しての使用に好適な付箋紙供給装置で、平面的な場所を取らず、しかも、本体１個であっても付箋紙を容易且つ迅速に排出することができる付箋紙供給装置を提供することを目的としている。
【課題を解決するための手段】
【０００４】
前記した目的を達成するための本考案の付箋紙供給装置は、回転自在に支持された付箋紙及び電池を内蔵し、前記付箋紙を外部に送り出す排出口とを有した本体と、この本体内に設けられ、前記付箋紙の粘着部に当接し、前記付箋紙を前記排出口に送り出す回転ローラと、前記本体の上面に設けられた少なくとも２個の操作部と、前記本体の上面にそれぞれ露出する少なくとも第１の上面＋側端子、第２の上面＋側端子、第１の上面−側端子及び第２の上面−側端子と、前記本体の底面にそれぞれ露出する少なくとも第１の底面＋側端子、第２の底面＋側端子、第１の底面−側端子及び第２の底面−側端子と、前記第１の上面＋側端子、第１の底面＋側端子、前記電池の＋側端子を電気的に導通する第１の＋側導通部と、前記第２の上面＋側端子、第２の底面＋側端子、前記電池の＋側端子を電気的に導通する第２の＋側導通部と、前記第１の上面−側端子、前記第１の底面−側端子を電気的に導通する第１の−側導通部と、前記第２の上面−側端子、前記第２の底面−側端子を電気的に導通する第２の−側導通部と、前記モータ、前記電池の−側端子を電気的に導通する電池側導通部と、前記モータの前記電池の−側端子と異なる側の部位に導通するモータ側導通部と、このモータ側導通部が前記第１の−側導通部又は前記第２の−側導通部に択一的に導通する切り換えスイッチと、前記２個の操作部は、第１の操作部と第２の操作部であり、前記第１の操作部の操作により開閉し、前記第１の−側導通部と前記第１の＋側導通部とを導通、非導通する第１の開閉スイッチと、前記第２の操作部の操作により開閉し、前記第２の−側導通部と前記第２の＋側導通部とを導通、非導通する第２の開閉スイッチとを備え、前記本体を垂直方向に積層した時に、上に位置する前記本体の前記第１の底面＋側端子が、下に位置する前記本体の前記第１の上面＋側端子に、上に位置する本体の前記第２の底面＋側端子が、下に位置する前記本体の前記第２の上面＋側端子に、上に位置する前記本体の前記第１の底面−側端子が、下に位置する前記本体の前記第１の上面−側端子に、上に位置する前記本体の前記第２の底面−側端子が、下に位置する前記本体の前記第２の上面−側端子に、それぞれ導通する構成となっているものである。
【０００５】
また、請求項２記載の付箋紙供給装置は、請求項１記載の付箋紙供給装置を少なくとも２個以上垂直方向に積層し、最上位の本体の少なくとも２個の操作部の内、操作された前記操作部の一により前記本体の排出口から付箋紙が送り出される付箋紙供給装置であって、前記本体を垂直方向に積層した時に、上に位置する前記本体の前記第１の底面＋側端子が、下に位置する前記本体の前記第１の上面＋側端子に、上に位置する本体の前記第２の底面＋側端子が、下に位置する前記本体の前記第２の上面＋側端子に、上に位置する前記本体の前記第１の底面−側端子が、下に位置する前記本体の前記第１の上面−側端子に、上に位置する前記本体の前記第２の底面−側端子が、下に位置する前記本体の前記第２の上面−側端子に、それぞれ導通し、積層段位が２番目に位置する前記本体の切り換えスイッチを積層段位が２番目に位置する前記本体の第２の−側導通部に導通するようにし、積層段位が１番目に位置する前記本体の切り換えスイッチを積層段位が１番目に位置する前記本体の第１の−側導通部に導通するようにし、最上位の前記本体の第１の操作部の操作により、最上位の前記本体の前記第１の−側導通部と前記第１の＋側導通部とを導通し、積層段位が１番目に位置する前記本体の排出口から付箋紙が、最上位の前記本体の第２の操作部の操作により、最上位の前記本体の前記第２の−側導通部と前記第２の＋側導通部とを導通し、積層段位が２番目に位置する前記本体の排出口から付箋紙が、それぞれ排出され、前記付箋紙は、前記本体毎に異なるものである。
【０００６】
また、請求項３記載の付箋紙供給装置は、回転自在に支持された付箋紙及び電池を内蔵し、前記付箋紙を外部に送り出す排出口とを有した本体と、この本体内に設けられ、前記付箋紙の粘着部に当接し、前記付箋紙を前記排出口に送り出す回転ローラと、前記本体の上面に設けられた４個の操作部と、前記本体の上面にそれぞれ露出する第１の上面＋側端子、第２の上面＋側端子、第３の上面＋側端子、第４の上面＋側端子、第１の上面−側端子、第２の上面−側端子、第３の上面−側端子及び第４の上面−側端子と、前記本体の底面にそれぞれ露出する第１の底面＋側端子、第２の底面＋側端子、第３の底面＋側端子、第４の底面＋側端子、第１の底面−側端子、第２の底面−側端子、第３の底面−側端子及び第４の底面−側端子と、前記第１の上面＋側端子、第１の底面＋側端子、前記電池の＋側端子を電気的に導通する第１の＋側導通部と、前記第２の上面＋側端子、第２の底面＋側端子、前記電池の＋側端子を電気的に導通する第２の＋側導通部と、前記第３の上面＋側端子、第３の底面＋側端子、前記電池の＋側端子を電気的に導通する第３の＋側導通部と、前記第４の上面＋側端子、第４の底面＋側端子、前記電池の＋側端子を電気的に導通する第４の＋側導通部と、前記第１の上面−側端子、前記第１の底面−側端子を電気的に導通する第１の−側導通部と、前記第２の上面−側端子、前記第２の底面−側端子を電気的に導通する第２の−側導通部と、前記第３の上面−側端子、前記第３の底面−側端子を電気的に導通する第３の−側導通部と、前記第４の上面−側端子、前記第４の底面−側端子を電気的に導通する第４の−側導通部と、前記回転ローラを駆動するモータ、前記電池の−側端子を電気的に導通する電池側導通部と、前記モータの前記電池の−側端子と異なる側の部位に導通するモータ側導通部と、このモータ側導通部が前記第１の−側導通部、前記第２の−側導通部、前記第３の−側導通部、前記第４の−側導通部の内の何れか一つに導通する切り換えスイッチと、前記４個の操作部は、第１の操作部、第２の操作部、第３の操作部、第４の操作部であり、前記第１の操作部の操作により開閉し、前記第１の−側導通部と前記第１の＋側導通部とを導通、非導通する第１の開閉スイッチと、前記第２の操作部の操作により開閉し、前記第２の−側導通部と前記第２の＋側導通部とを導通、非導通する第２の開閉スイッチと、前記第３の操作部の操作により開閉し、前記第３の−側導通部と前記第３の＋側導通部とを導通、非導通する第３の開閉スイッチと、前記第４の操作部の操作により開閉し、前記第４の−側導通部と前記第４の＋側導通部とを導通、非導通する第４の開閉スイッチとを備え、前記本体を垂直方向に積層した時に、上に位置する前記本体の前記第１の底面＋側端子が、下に位置する前記本体の前記第１の上面＋側端子に、上に位置する本体の前記第２の底面＋側端子が、下に位置する前記本体の前記第２の上面＋側端子に、上に位置する前記本体の前記第３の底面＋側端子が、下に位置する前記本体の前記第３の上面＋側端子に、上に位置する本体の前記第４の底面＋側端子が、下に位置する前記本体の前記第４の上面＋側端子に、上に位置する前記本体の前記第１の底面−側端子が、下に位置する前記本体の前記第１の上面−側端子に、上に位置する前記本体の前記第２の底面−側端子が、下に位置する前記本体の前記第２の上面−側端子に、上に位置する前記本体の前記第３の底面−側端子が、下に位置する前記本体の前記第３の上面−側端子に、上に位置する前記本体の前記第４の底面−側端子が、下に位置する前記本体の前記第４の上面−側端子に、それぞれ導通する構成となっているものである。
【０００７】
また、請求項４記載の付箋紙供給装置は、請求項３記載の付箋紙供給装置を４個垂直方向に積層し、最上位の本体の４個の操作部の内、操作された前記操作部の一により前記本体の排出口から付箋紙が送り出される付箋紙供給装置であって、前記本体を垂直方向に積層した時に、上に位置する前記本体の前記第１の底面＋側端子が、下に位置する前記本体の前記第１の上面＋側端子に、上に位置する本体の前記第２の底面＋側端子が、下に位置する前記本体の前記第２の上面＋側端子に、上に位置する前記本体の前記第３の底面＋側端子が、下に位置する前記本体の前記第３の上面＋側端子に、上に位置する本体の前記第４の底面＋側端子が、下に位置する前記本体の前記第４の上面＋側端子に、上に位置する前記本体の前記第１の底面−側端子が、下に位置する前記本体の前記第１の上面−側端子に、上に位置する前記本体の前記第２の底面−側端子が、下に位置する前記本体の前記第２の上面−側端子に、上に位置する前記本体の前記第３の底面−側端子が、下に位置する前記本体の前記第３の上面−側端子に、上に位置する前記本体の前記第４の底面−側端子が、下に位置する前記本体の前記第４の上面−側端子に、それぞれ導通し、積層段位が４番目に位置する前記本体の切り換えスイッチを積層段位が４番目に位置する前記本体の第４の−側導通部に導通するようにし、積層段位が３番目に位置する前記本体の切り換えスイッチを積層段位が３番目に位置する前記本体の第３の−側導通部に導通するようにし、積層段位が２番目に位置する前記本体の切り換えスイッチを積層段位が２番目に位置する前記本体の第２の−側導通部に導通するようにし、積層段位が１番目に位置する前記本体の切り換えスイッチを積層段位が１番目に位置する前記本体の第１の−側導通部に導通するようにし、最上位の前記本体の第１の操作部の操作により、最上位の前記本体の前記第１の−側導通部と前記第１の＋側導通部とを導通し、積層段位が１番目に位置する前記本体の排出口から付箋紙が、最上位の前記本体の第２の操作部の操作により、最上位の前記本体の前記第２の−側導通部と前記第２の＋側導通部とを導通し、積層段位が２番目に位置する前記本体の排出口から付箋紙が、最上位の前記本体の第３の操作部の操作により、最上位の前記本体の前記第３の−側導通部と前記第３の＋側導通部とを導通し、積層段位が３番目に位置する前記本体の排出口から付箋紙が、最上位の前記本体の第４の操作部の操作により、最上位の前記本体の前記第４の−側導通部と前記第４の＋側導通部とを導通し、積層段位が４番目に位置する前記本体の排出口から付箋紙が、それぞれ排出され、前記付箋紙は、前記本体毎に異なるものである。
【０００８】
また、請求項５記載の付箋紙供給装置は、請求項２記載の付箋紙供給装置において、  第１の底面＋側端子、第２の底面＋側端子、第１の底面−側端子及び第２の底面−側端子のそれぞれの近傍に磁石が、取り付けられ、第１の上面＋側端子、第２の上面＋側端子、第１の上面−側端子及び第２の上面−側端子が磁性体で形成され、本体を垂直方向に積層した時に、上に位置する前記本体の前記第１の底面＋側端子の近傍に取り付けられた磁石が、下に位置する前記本体の前記第１の上面＋側端子を、上に位置する本体の前記第２の底面＋側端子の近傍に取り付けられた磁石が、下に位置する前記本体の前記第２の上面＋側端子を、上に位置する前記本体の前記第１の底面−側端子の近傍に取り付けられた磁石が、下に位置する前記本体の前記第１の上面−側端子を、上に位置する前記本体の前記第２の底面−側端子の近傍に取り付けられた磁石が、下に位置する前記本体の前記第２の上面−側端子を、それぞれ引き付けるように作用させるものである。
【０００９】
また、請求項６記載の付箋紙供給装置は、請求項４記載の付箋紙供給装置において、第１の底面＋側端子、第２の底面＋側端子、第３の底面＋側端子、第４の底面＋側端子、第１の底面−側端子、第２の底面−側端子、第３の底面−側端子及び第４の底面−側端子のそれぞれの近傍に磁石が、取り付けられ、第１の上面＋側端子、第２の上面＋側端子、第３の上面＋側端子、第４の上面＋側端子、第１の上面−側端子、第２の上面−側端子、第３の上面−側端子及び第４の上面−側端子が磁性体で形成され、本体を垂直方向に積層した時に、上に位置する前記本体の前記第１の底面＋側端子の近傍に取り付けられた磁石が、下に位置する前記本体の前記第１の上面＋側端子を、上に位置する本体の前記第２の底面＋側端子の近傍に取り付けられた磁石が、下に位置する前記本体の前記第２の上面＋側端子を、上に位置する前記本体の前記第３の底面＋側端子の近傍に取り付けられた磁石が、下に位置する前記本体の前記第３の上面＋側端子を、上に位置する本体の前記第４の底面＋側端子の近傍に取り付けられた磁石が、下に位置する前記本体の前記第４の上面＋側端子を、上に位置する前記本体の前記第１の底面−側端子の近傍に取り付けられた磁石が、下に位置する前記本体の前記第１の上面−側端子を、上に位置する前記本体の前記第２の底面−側端子の近傍に取り付けられた磁石が、下に位置する前記本体の前記第２の上面−側端子を、上に位置する前記本体の前記第３の底面−側端子の近傍に取り付けられた磁石が、下に位置する前記本体の前記第３の上面−側端子を、上に位置する前記本体の前記第４の底面−側端子の近傍に取り付けられた磁石が、下に位置する前記本体の前記第４の上面−側端子を、それぞれ引き付けるように作用させるものである。
【考案の効果】
【００１０】
請求項１記載の付箋紙供給装置によれば、本体の操作部を操作すれば、本体から付箋紙を容易且つ迅速に排出することができ、しかも、本体を少なくとも２個垂直方向に積層し、最上位の本体の操作部で操作して、排出したい積層段位が１番目、又は、２番目に位置する本体の排出口から付箋紙を容易且つ迅速に排出でき、更に、本体を垂直方向に積層して使用した場合、平面的な場所を取らずに使用することができる。
【００１１】
また、請求項２記載の付箋紙供給装置によれば、本体を少なくとも２個垂直方向に積層し、最上位の本体の操作部で操作して、排出したい積層段位が１番目、又は、２番目に位置する本体の排出口から付箋紙を容易且つ迅速に排出でき、しかも、平面的な場所を取らずに使用することができる。
【００１２】
また、請求項３記載の付箋紙供給装置によれば、本体の操作部を操作すれば、本体から付箋紙を容易且つ迅速に排出することができ、しかも、本体を４個垂直方向に積層し、最上位の本体の操作部で操作して、排出したい積層段位が１番目、２番目、３番目、４番目に位置する本体の排出口から付箋紙を容易且つ迅速に排出でき、更に、本体を垂直方向に積層して使用した場合、平面的な場所を取らずに使用することができる。
【００１３】
また、請求項４記載の付箋紙供給装置によれば、本体を４個垂直方向に積層し、最上位の本体の操作部で操作して、排出したい積層段位が１番目、２番目、３番目、４番目に位置する本体の排出口から付箋紙を容易且つ迅速に排出でき、しかも、平面的な場所を取らずに使用することができる。
【００１４】
また、請求項５記載の付箋紙供給装置によれば、前述した請求項２記載の考案の効果に加え、接触した端子同士の結合を磁石により強固にすることができる。
【００１５】
また、請求項６記載の付箋紙供給装置によれば、前述した請求項４記載の考案の効果に加え、接触した端子同士の結合を磁石により強固にすることができる。
【考案を実施するための最良の形態】
【００１６】
本考案の一実施例の付箋紙供給装置を図面を参照して説明する。
図１及び図２において、Ｓは付箋紙供給装置で、付箋紙供給装置Ｓは、回転自在に支持された付箋紙１及び電池２を内蔵し、付箋紙１を外部に送り出す排出口３とを有した本体１０を備えている。
また、４は、本体１０内に設けられた回転ローラで、回転ローラ４は、付箋紙１の粘着部１ａに当接し、付箋紙１を排出口３に送り出すものであり、５は、付箋紙１を排出口３に案内するガイドである。なお、図４及び図５に示す４１は、回転ローラ４を駆動するモータである。
また、７は、本体１０の上面に設けられた操作部で、操作部７は、例えば、７１、７２、７３、７４と４個設けられている。なお、本考案にあっては、操作部７は、少なくとも２個あれば良い。操作部７（７１、７２、７３、７４）は、常時、バネ２０により上方に付勢されている（図９参照）。
【００１７】
また、図４及び図５に示すように、Ｐ１は本体１０の上面に露出する第１の上面＋側端子で、Ｐ２は本体１０の上面に露出する第２の上面＋側端子で、Ｐ３は本体１０の上面に露出する第３の上面＋側端子で、Ｐ４は本体１０の上面に露出する第４の上面＋側端子であり、また、Ｍ１は本体１０の上面に露出する第１の上面−側端子で、Ｍ２は本体１０の上面に露出する第２の上面−側端子で、Ｍ３は本体１０の上面に露出する第３の上面−側端子で、Ｍ４は本体１０の上面に露出する第４の上面−側端子である。
また、ｐ１は本体１０の底面に露出する第１の底面＋側端子で、ｐ２は本体１０の底面に露出する第２の底面＋側端子で、ｐ３は本体１０の底面に露出する第３の底面＋側端子で、ｐ４は本体１０の底面に露出する第４の底面＋側端子であり、また、ｍ１は本体１０の底面に露出する第１の底面−側端子で、ｍ２は本体１０の底面に露出する第２の底面−側端子で、ｍ３は本体１０の底面に露出する第３の底面−側端子で、ｍ４は本体１０の底面に露出する第４の底面−側端子である。
【００１８】
また、＋Ｃ１は、第１の上面＋側端子Ｐ１、第１の底面＋側端子ｐ１、電池２の＋側端子を電気的に導通する第１の＋側導通部で、＋Ｃ２は、第２の上面＋側端子Ｐ２、第２の底面＋側端子ｐ２、電池２の＋側端子を電気的に導通する第２の＋側導通部で、＋Ｃ３は、第３の上面＋側端子Ｐ３、第３の底面＋側端子ｐ３、電池２の＋側端子を電気的に導通する第３の＋側導通部で、＋Ｃ４は、第４の上面＋側端子Ｐ４、第４の底面＋側端子ｐ４、電池２の＋側端子を電気的に導通する第４の＋側導通部であり、また、−Ｃ１は、第１の上面−側端子Ｍ１、第１の底面−側端子ｍ１を電気的に導通する第１の−側導通部で、−Ｃ２は、第２の上面−側端子Ｍ２、第２の底面−側端子ｍ２を電気的に導通する第２の−側導通部で、−Ｃ３は、第３の上面−側端子Ｍ３、第３の底面−側端子ｍ３を電気的に導通する第３の−側導通部で、−Ｃ４は、第４の上面−側端子Ｍ４、第４の底面−側端子ｍ４を電気的に導通する第４の−側導通部である。
また、Ｄは、モータ４１、電池２の−側端子を電気的に導通する電池側導通部で、Ｅ
は、モータ４１の電池２の−側端子と異なる側の部位に導通するモータ側導通部であり、Ｆは、モータ側導通部Ｅが第１の−側導通部−Ｃ１、第２の−側導通部−Ｃ２、第３の−側導通部−Ｃ３、第４の−側導通部−Ｃ４の内の何れか一つに導通する切り換えスイッチである。
【００１９】
また、Ｓ１は、第１の操作部７１の操作により開閉し、第１の−側導通部−Ｃ１と第１の＋側導通部＋Ｃ１とを導通、非導通する第１の開閉スイッチで、第１の開閉スイッチＳ１は、具体的には、第１の操作部７１を図９に示す方向に手で押すことにより、第１の開閉スイッチＳ１は、第１の−側導通部−Ｃ１と第１の＋側導通部＋Ｃ１とが導通し、手を離すと、第１の開閉スイッチＳ１は、第１の−側導通部−Ｃ１と第１の＋側導通部＋Ｃ１とが非導通となり（図４参照）、
Ｓ２は、第２の操作部７２の操作により開閉し、第２の−側導通部−Ｃ２と第２の＋側導通部＋Ｃ２とを導通、非導通する第２の開閉スイッチで、第２の開閉スイッチＳ２は、具体的には、第１の開閉スイッチＳ１と同様に、第２の操作部７２を手で押すことにより、第２の開閉スイッチＳ２は、第２の−側導通部−Ｃ２と第２の＋側導通部＋Ｃ２とが導通し、手を離すと、第２の開閉スイッチＳ２は、第２の−側導通部−Ｃ２と第２の＋側導通部＋Ｃ２とが非導通となり（図５参照）、
Ｓ３は、第３の操作部７３の操作により開閉し、第３の−側導通部−Ｃ３と第３の＋側導通部＋Ｃ３とを導通、非導通する第３の開閉スイッチで、第３の開閉スイッチＳ３は、具体的には、第１の開閉スイッチＳ１と同様に、第３の操作部７３を手で押すことにより、第３の開閉スイッチＳ３は、第３の−側導通部−Ｃ３と第３の＋側導通部＋Ｃ３とが導通し、手を離すと、第３の開閉スイッチＳ３は、第３の−側導通部−Ｃ３と第３の＋側導通部＋Ｃ３とが非導通となり（図５参照）、
Ｓ４は、第４の操作部７４の操作により開閉し、第４の−側導通部−Ｃ４と第４の＋側導通部＋Ｃ４とを導通、非導通する第４の開閉スイッチで、第４の開閉スイッチＳ４は、具体的には、第１の開閉スイッチＳ１と同様に、第４の操作部７４を手で押すことにより、第４の開閉スイッチＳ４は、第４の−側導通部−Ｃ４と第４の＋側導通部＋Ｃ４とが導通し、手を離すと、第４の開閉スイッチＳ４は、第４の−側導通部−Ｃ４と第４の＋側導通部＋Ｃ４とが非導通となる（図４参照）。
【００２０】
そして、本体１０を垂直方向に積層した時に、上に位置する本体１０の第１の底面＋側端子ｐ１が、下に位置する本体１０の第１の上面＋側端子Ｐ１に、上に位置する本体１０の第２の底面＋側端子ｐ２が、下に位置する本体１０の第２の上面＋側端子Ｐ２に、上に位置する本体１０の第３の底面＋側端子ｐ３が、下に位置する本体１０の第３の上面＋側端子Ｐ３に、上に位置する本体１０の第４の底面＋側端子ｐ４が、下に位置する本体１０の第４の上面＋側端子Ｐ４に、上に位置する本体１０の第１の底面−側端子ｍ１が、下に位置する本体１０の第１の上面−側端子Ｍ１に、上に位置する本体１０の第２の底面−側端子ｍ２が、下に位置する本体１０の第２の上面−側端子Ｍ２に、上に位置する本体１０の第３の底面−側端子ｍ３が、下に位置する本体１０の第３の上面−側端子Ｍ３に、上に位置する本体１０の第４の底面−側端子ｍ４が、下に位置する本体１０の第４の上面−側端子Ｍ４に、それぞれ導通する構成となっている（図７及び図８参照）。
【００２１】
なお、本体１０を図６に示すように４個垂直方向に積層する場合にあっては、積層段位が４番目に位置する本体１０の切り換えスイッチＦを積層段位が４番目に位置する本体１０の第４の−側導通部−Ｃ４に導通するようにし（図１４参照）、
積層段位が３番目に位置する本体１０の切り換えスイッチＦを積層段位が３番目に位置する本体１０の第３の−側導通部−Ｃ３に導通するようにし（図１２参照）、
積層段位が２番目に位置する本体１０の切り換えスイッチＦを積層段位が２番目に位置する本体１０の第２の−側導通部−Ｃ２に導通するようにし（図１３参照）、
積層段位が１番目に位置する本体１０の切り換えスイッチＦを積層段位が１番目に位置する本体１０の第１の−側導通部−Ｃ１に導通するようにする（図１１参照）。
そして、最上位の本体１０の第１の操作部７１の操作により、最上位の本体１０の第１の−側導通部−Ｃ１と第１の＋側導通部＋Ｃ１とを導通し、積層段位が１番目に位置する本体１０の排出口３から付箋紙１が、最上位の本体１０の第２の操作部７２の操作により、最上位の本体１０の第２の−側導通部−Ｃ２と第２の＋側導通部＋Ｃ２とを導通し、積層段位が２番目に位置する本体１０の排出口３から付箋紙１が、最上位の本体１０の第３の操作部７３の操作により、最上位の本体１０の第３の−側導通部−Ｃ３と第３の＋側導通部＋Ｃ３とを導通し、積層段位が３番目に位置する本体１０の排出口３から付箋紙１が、最上位の本体１０の第４の操作部７４の操作により、最上位の本体１０の第４の−側導通部−Ｃ４と第４の＋側導通部＋Ｃ４とを導通し、積層段位が４番目に位置する本体１０の排出口３から付箋紙１がそれぞれ排出されることとなる。
なお、付箋紙１は、本体１０毎に異なるものである。異なる形態としては、例えば、本体１０毎に異なる色を排出しても、また、本体１０毎に同色でも、図３に示すように、本体１０毎に付箋紙１の粘着部１ａの粘着幅が異なるようにしても良い。
【００２２】
また、本体１０を垂直方向に積層する場合、接触する端子（ｐ１とＰ１、ｐ２とＰ２、ｐ３とＰ３、ｐ４とＰ４、ｍ１とＭ１、ｍ２とＭ２、ｍ３とＭ３、ｍ４とＭ４）との結合関係を強くするために、端子近傍にバネ２０を設けているが、これに磁石を加えて、更に結合関係を強固にしても良い。
即ち、図２及び図１０に示す３０は、第１の底面＋側端子ｐ１、第２の底面＋側端子ｐ２、第３の底面＋側端子ｐ３、第４の底面＋側端子ｐ４、第１の底面−側端子ｍ１、第２の底面−側端子ｍ２、第３の底面−側端子ｍ３及び第４の底面−側端子ｍ４のそれぞれの近傍に取り付けられた磁石である。
磁石３０を設けた場合、第１の上面＋側端子Ｐ１、第２の上面＋側端子Ｐ２、第３の上面＋側端子Ｐ３、第４の上面＋側端子Ｐ４、第１の上面−側端子Ｍ１、第２の上面−側端子Ｍ２、第３の上面−側端子Ｍ３及び第４の上面−側端子Ｍ４は磁性体で形成する。
そして、本体１０を垂直方向に積層した時に、上に位置する本体１０の第１の底面＋側端子ｐ１の近傍に取り付けられた磁石３０が、下に位置する本体１０の第１の上面＋側端子Ｐ１を、上に位置する本体１０の第２の底面＋側端子ｐ２の近傍に取り付けられた磁石３０が、下に位置する本体１０の第２の上面＋側端子Ｐ２を、上に位置する本体１０の第３の底面＋側端子Ｐ３の近傍に取り付けられた磁石３０が、下に位置する本体１０の第３の上面＋側端子Ｐ３を、上に位置する本体１０の第４の底面＋側端子ｐ４の近傍に取り付けられた磁石３０が、下に位置する本体１０の第４の上面＋側端子Ｐ４を、上に位置する本体１０の第１の底面−側端子ｍ１の近傍に取り付けられた磁石３０が、下に位置する本体１０の第１の上面−側端子Ｍ１を、上に位置する本体１０の第２の底面−側端子ｍ２の近傍に取り付けられた磁石３０が、下に位置する本体１０の第２の上面−側端子Ｍ２を、上に位置する本体１０の第３の底面−側端子ｍ３の近傍に取り付けられた磁石３０が、下に位置する本体１０の第３の上面−側端子Ｍ３を、上に位置する本体１０の第４の底面−側端子ｍ４の近傍に取り付けられた磁石３０が、下に位置する本体１０の第４の上面−側端子Ｍ４を、それぞれ引き付けるように作用させる。
【００２３】
なお、上述した実施例においては、本体１０を垂直方向に４個積層して積み重ねたが、本願考案にあっては、これに限らず、本体１０を垂直方向に少なくとも、２個以上あれば良く、かかる場合の操作部７は、少なくとも２個、即ち、第１の操作部７１、第２の操作部７２とを有れば良い。
【図面の簡単な説明】
【００２４】
【図１】図１は、本考案の一実施例の付箋紙供給装置の概略的斜視図である。
【図２】図２は、図１の２−２線による概略的断面図である。
【図３】図３（ａ）（ｂ）（ｃ）（ｄ）は、図１の付箋紙供給装置に内蔵される付箋紙の概略的図である。
【図４】図４は、図１の矢印Ａ方向から見た付箋紙供給装置に内蔵される電気配線の概略的構成図である。
【図５】図５は、図１の矢印Ａ方向と反対方向から見た付箋紙供給装置に内蔵される電気配線の概略的構成図である。
【図６】図６は、図１の付箋紙供給装置を４個積み重ねる前の状態を示す概略的斜視図である。
【図７】図７は、図６の付箋紙供給装置を４個積み重ね、図６の矢印Ａ方向から見た付箋紙供給装置に内蔵される電気配線の概略的構成図である。
【図８】図８は、図６の付箋紙供給装置を４個積み重ね、図６の矢印Ａ方向と反対方向から見た付箋紙供給装置に内蔵される電気配線の概略的構成図である。
【図９】図９（ａ）は、図１の付箋紙供給装置の操作部の操作前の状態の概略的断面であり、（ｂ）は、図１の付箋紙供給装置の操作部の操作後の状態の概略的断面である。
【図１０】図１０（ａ）は、図１の付箋紙供給装置を積み重ねる前の状態の概略的断面であり、（ｂ）は、図１の付箋紙供給装置を積み重ねた状態の概略的断面である。
【図１１】図１１は、図６の付箋紙供給装置を４個積み重ね、第１の操作部により、積層段位が１番目に位置する本体から付箋紙が排出される場合の図７を簡略的に示す概略的電気回路構成図である。
【図１２】図１２は、図６の付箋紙供給装置を４個積み重ね、第３の操作部により、積層段位が３番目に位置する本体から付箋紙が排出される場合の図８を簡略的に示す概略的電気回路構成図である。
【図１３】図１３は、図６の付箋紙供給装置を４個積み重ね、第２の操作部により、積層段位が２番目に位置する本体から付箋紙が排出される場合の図８を簡略的に示す概略的電気回路構成図である。
【図１４】図１４は、図６の付箋紙供給装置を４個積み重ね、第４の操作部により、積層段位が４番目に位置する本体から付箋紙が排出される場合の図７を簡略的に示す概略的電気回路構成図である。
【符号の説明】
【００２５】
Ｓ     …付箋紙供給装置
１     …付箋紙
１ａ   …粘着部
２     …電池
３     …排出口
４     …回転ローラ
７     …操作部
１０   …本体
Ｐ１   …第１の上面＋側端子
Ｐ２   …第２の上面＋側端子
Ｍ１   …第１の上面−側端子
Ｍ２   …第２の上面−側端子
ｐ１   …第１の底面＋側端子
ｐ２   …第２の底面＋側端子
ｍ１   …第１の底面−側端子
ｍ２   …第２の底面−側端子
【図１】
0003145553.tif 000003
【図２】
0003145553.tif 000004
【図３】
0003145553.tif 000005
【図４】
0003145553.tif 000006
【図５】
0003145553.tif 000007
【図６】
0003145553.tif 000008
【図７】
0003145553.tif 000009
【図８】
0003145553.tif 000010
【図９】
0003145553.tif 000011
【図１０】
0003145553.tif 000012
【図１１】
0003145553.tif 000013
【図１２】
0003145553.tif 000014
【図１３】
0003145553.tif 000015
【図１４】
0003145553.tif 000016